(57)【要約】【課題】プラスイオンに帯電している塵埃等を、床ノズルに吸い込み、清掃することができる電気掃除機を提供する。【解決手段】被清掃面に付着している塵埃等を吸引する為の電気掃除機において、前記電気掃除機を構成するいずれかの部品の材料に、貴陽石（商標出願中）の粉体が練り込んで使用されてあるか、あるいは前記電気掃除機を構成するいずれかの部品の表面に、貴陽石（商標出願中）の粉体を混入させた塗装皮膜あるいはコーティング皮膜が形成されてあるか、あるいは前記電気掃除機を構成するいずれかの部品の材料は、貴陽石（商標出願中）の粉体を焼結させるかまたは樹脂バインダーにて固着させて形成されてあるものである。【選択図】　　　　図３
2004130020.tif 000002
【特許請求の範囲】
【請求項１】
被清掃面に付着している塵埃等を吸引する為の電気掃除機において、前記電気掃除機を構成するいずれかの部品の材料に、貴陽石（商標出願中）の粉体が練り込んで使用されてあるか、あるいは前記電気掃除機を構成するいずれかの部品の表面に、貴陽石（商標出願中）の粉体を混入させた塗装皮膜あるいはコーティング皮膜が形成されてあるか、あるいは前記電気掃除機を構成するいずれかの部品の材料は、貴陽石（商標出願中）の粉体を焼結させるかまたは樹脂バインダーにて固着させて形成されてあることを特徴とする電気掃除機。
【請求項２】
請求項１記載の構成よりなる電気掃除機において、前記部品として床ノズルが使用されてあることを特徴とする電気掃除機。
【請求項３】
請求項１記載の構成よりなる電気掃除機において、前記部品として延長管が使用されてあることを特徴とする電気掃除機。
【請求項４】
請求項１記載の構成よりなる電気掃除機において、前記部品として取っ手が使用されてあることを特徴とする電気掃除機。
【請求項５】
請求項１記載の構成よりなる電気掃除機において、前記部品としてホースが使用されてあることを特徴とする電気掃除機。
【請求項６】
請求項１記載の構成よりなる電気掃除機において、前記部品として本体フレームが使用されてあることを特徴とする電気掃除機。
【請求項７】
請求項１記載の構成よりなる電気掃除機において、前記部品として集塵フィルターが使用されてあることを特徴とする電気掃除機。
【請求項８】
請求項１記載の構成よりなる電気掃除機において、前記部品としてフィルターが使用されてあることを特徴とする電気掃除機。
【請求項９】
請求項１記載の構成よりなる電気掃除機において、前記部品としてモーターが使用されてあることを特徴とする電気掃除機。
【請求項１０】
請求項１記載の構成よりなる電気掃除機において、前記部品としてモーターファンが使用されてあることを特徴とする電気掃除機。
【請求項１１】
請求項１記載の構成よりなる電気掃除機において、前記部品として排気フィルターが使用されてあることを特徴とする電気掃除機。
【請求項１２】
請求項１記載の構成よりなる電気掃除機において、前記部品としてホイールが使用されてあることを特徴とする電気掃除機。
【請求項１３】
請求項１記載の構成よりなる電気掃除機において、前記部品としてブラシ付きホイールが使用されてあることを特徴とする電気掃除機。
【発明の詳細な説明】
【０００１】
【発明の属する技術分野】
本発明は、被清掃面に付着している塵埃等を吸引する為の電気掃除機に関するものである。
【０００２】
【従来の技術】
従来の電気掃除機を、以下図１及び図２を用いて説明する。
【０００３】
従来の被清掃面に付着している塵埃等を吸引する為の電気掃除機に関しては、様々な改良がなされ、例えば、図１及び図２の如くの構成の電気掃除機が、特開２００２−１０２１２６号に開示されてある。床面に付着している塵埃等は、取っ手４を操作することにより、床ノズル２に吸い込まれ、延長管３、ホース５を通じて、本体フレーム６中の集塵フィルター８に集められる。集塵フィルター８の後方には、フィルター９、モーター１０、排気フィルター１１が、配設されてある。ホイール７は、本体フレーム６の両側に配設されてある。
【０００４】
【発明が解決しようとする課題】
従来の電気掃除機においては、上記の如くの様々な改良を実施して、床面に付着している塵埃等を清掃していた。ところで、一般には、塵埃等は、プラスイオンに帯電している為、例えば、フローリングの上や、溝に入った細かい塵埃等が、床ノズルにて吸い込むことができず、残ってしまうという課題を有していた。その為、プラスイオンに帯電している塵埃等を、床ノズルに吸い込み、清掃する技術が求められていた。
【０００５】
【課題を解決するための手段】
本発明は、次のように構成したものである。
（１）被清掃面に付着している塵埃等を吸引する為の電気掃除機において、前記電気掃除機を構成するいずれかの部品の材料に、貴陽石（商標出願中）の粉体が練り込んで使用されてあるか、あるいは前記電気掃除機を構成するいずれかの部品の表面に、貴陽石（商標出願中）の粉体を混入させた塗装皮膜あるいはコーティング皮膜が形成されてあるか、あるいは前記電気掃除機を構成するいずれかの部品の材料は、貴陽石（商標出願中）の粉体を焼結させるかまたは樹脂バインダーにて固着させて形成されてあるものである。
【０００６】
（２）上記（１）記載の構成よりなる電気掃除機において、前記部品として床ノズルが使用されてあるものである。
【０００７】
（３）上記（１）記載の構成よりなる電気掃除機において、前記部品として延長管が使用されてあるものである。
【０００８】
（４）上記（１）記載の構成よりなる電気掃除機において、前記部品として取っ手が使用されてあるものである。
【０００９】
（５）上記（１）記載の構成よりなる電気掃除機において、前記部品としてホースが使用されてあるものである。
【００１０】
（６）上記（１）記載の構成よりなる電気掃除機において、前記部品として本体フレームが使用されてあるものである。
【００１１】
（７）上記（１）記載の構成よりなる電気掃除機において、前記部品として集塵フィルターが使用されてあるものである。
【００１２】
（８）上記（１）記載の構成よりなる電気掃除機において、前記部品としてフィルターが使用されてあるものである。
【００１３】
（９）上記（１）記載の構成よりなる電気掃除機において、前記部品としてモーターが使用されてあるものである。
【００１４】
（１０）上記（１）記載の構成よりなる電気掃除機において、前記部品としてモーターファンが使用されてあるものである。
【００１５】
（１１）上記（１）記載の構成よりなる電気掃除機において、前記部品として排気フィルターが使用されてあるものである。
【００１６】
（１２）上記（１）記載の構成よりなる電気掃除機において、前記部品としてホイールが使用されてあるものである。
【００１７】
（１３）上記（１）記載の構成よりなる電気掃除機において、前記部品としてブラシ付きホイールが使用されてあるものである。
【００１８】
【発明の実施の形態】
実施の形態１
図３から図１９に実施の形態１を示す。図３は、本発明の実施の形態１の電気掃除機の構成を示す正面図である。図３において、３１は電気掃除機、１２は床ノズル、１３は延長管、１４は取っ手、１５はホース、１６は本体フレーム、１７はホイールである。図４は、図３の本体フレームの断面図である。図４において、１８は集塵フィルター、１９はフィルター、２０はモーター、２１は排気フィルター、２２はモーターファンである。また、図５から図１９は、本発明の実施の形態１の電気掃除機に使用されてある部品の実施例が記載されてある。図５から図８は、床ノズルの実施例を示す断面図である。図９は、延長管の実施例を示す断面図である。図１０は、取っ手の実施例を示す断面図である。図１１は、ホースの実施例を示す断面図である。図１２は、本体フレームの実施例を示す断面図である。図１３は、集塵フィルターの実施例を示す断面図である。図１４は、フィルターの実施例を示す断面図である。図１５は、モーターの実施例を示す断面図である。図１６は、モーターファンの実施例を示す断面図である。図１７は、排気フィルターの実施例を示す断面図である。図１８は、ホイールの実施例を示す断面図である。図１９は、ブラシ付きホイールの実施例を示す断面図である。図５から図１９において、１２、３２、４２、５２は床ノズル、１３は延長管、１４は取っ手、１５はホース、１６、２６は本体フレーム、１７はホイール、１８は集塵フィルター、１９はフィルター、２０はモーター、２１は排気フィルター、２２はモーターファン、２３、２４、３３、３４、４３、４４、５３、５４、６３、６４、７３、７４、８３、８４、９３は粉体、２５、３５、４５、５５は皮膜、２７はブラシ付きホイール、２８、３８、４８、５８はバインダー、２９、３０、３９、４０、４９、５０、５９、６０、６９、７０、８０、９０は基材、３６は台板、３７は濾紙、４６はブラシである。
【００１９】
本発明の電気掃除機３１は、図３の如く、床ノズル１２、延長管１３、取っ手１４、ホース１５、本体フレーム１６、ホイール１７より形成されてある。本体フレームの内部には、図４の如く、集塵フィルター１８、フィルター１９、モーター２０、及び排気フィルター２１が配設されてある。また、モーター２０の内部には、モーターファン２２が形成されてある。
【００２０】
本発明の電気掃除機は、上記の如くの部品により構成されてあり、上記部品のいずれかの部品の材料に、貴陽石（商標出願中）の粉体が練り込んで使用されてあるか、あるいは、いずれかの部品の表面に、貴陽石（商標出願中）の粉体を混入させた塗装皮膜あるいはコーティング皮膜が形成されてあるか、あるいは、いずれかの部品の材料は、貴陽石（商標出願中）の粉体を焼結させるかまたは樹脂バインダーにて固着させて形成されてある。粉体の材質としては、貴陽石（商標出願中）の粉体が使用されてある。貴陽石は、天然の長石の一種であり、主成分は含水珪酸アルミニウムである。また、貴陽石は、群馬県利根郡にある群馬長石御座入鉱山にて産出されている。
【００２１】
貴陽石は、振動が加えられるとマイナスイオンを発生する性質を有している。特に、ある特定の周波数の振動が加えられると、大量のマイナスイオンを発生する性質を有している。マイナスイオンの発生量は、最大で、約２４０００個／ｃｃが測定されてあり、黒曜石、岐阜麦飯石、トルマリン、竜王石、医王石などのマイナスイオンを発生する他の鉱物に比べて、極めて多い発生量を有している。また、貴陽石は、常温にて遠赤外線を放射する性質を有している。遠赤外線放射率は、例えば、２５℃の測定温度にて約９６％が測定されている。なお、詳細の実施例については、部品毎に、図５から図１９を使用して、説明する。
【００２２】
まず、床ノズルにおける実施例を、図５から図８を使用して説明する。床ノズル１２は、図５の如く、樹脂等の基材３０にたいして、所定重量％の貴陽石（商標出願中）の粉体２３が練り込まれた後、成形されて製作されてある。また、他の実施例として、床ノズル３２は、図６の如く、樹脂等の基材４０の表面に、塗装処理あるいはコーティング処理をした皮膜２５が、形成されてある。皮膜２５は、塗装材料あるいはコーティング材料にたいして、所定重量％の貴陽石（商標出願中）の粉体３３を、練り込んだ後、形成されてある。また、他の実施例として、床ノズル４２は、図７の如く、所定重量％の貴陽石（商標出願中）の粉体４３を、樹脂バインダー２８にて固着させて形成されてある。さらにまた、他の実施例として、床ノズル５２は、図８の如く、所定重量％の貴陽石（商標出願中）の粉体５３を、焼結させて形成されてある。
【００２３】
本発明の実施の形態１の床ノズル１２は、上記の如くの構成となっている為、電気掃除機３１の使用時には、床ノズル１２の基材３０に所定重量％練り込まれた貴陽石（商標出願中）の粉体２３から、マイナスイオンが発生する。その時、発生したマイナスイオンが、プラスイオンに帯電している塵埃等を吸着させることができる為、塵埃等は、床ノズル１２に吸い込まれ、清掃することができる。また、粉体２３は、床ノズル１２の基材３０に所定重量％練り込まれて形成されてある為、床面等への接触による摩擦により、粉体２３が脱落する事が無い。また、床ノズル３２の基材４０の表面に、所定重量％の貴陽石（商標出願中）の粉体３３を練り込んだ皮膜２５にて、塗装処理あるいはコーティング処理をした場合には、貴陽石（商標出願中）の粉体３３から、マイナスイオンが発生する。その時、発生したマイナスイオンは、プラスイオンに帯電している塵埃等を吸着させることにより、塵埃等を床ノズル３２に吸い込み、清掃することができる。皮膜２５は、塗装処理あるいはコーティング処理にて形成されてある為、安価かつ容易に、粉体３３を床ノズル３２の表面に形成させることができる。また、床ノズル４２を、所定重量％の貴陽石（商標出願中）の粉体４３を樹脂バインダー２８にて固着させて形成したり、床ノズル５２を、所定重量％の貴陽石（商標出願中）の粉体５３にて焼結させて形成した場合には、粉体４３、５３の重量％を多くすることができるので、マイナスイオンを大量に発生させることができる。
【００２４】
本発明の実施の形態１の床ノズルは、上記の如くの構成となっているが、床ノズルの材質等については、目的に応じて、貴陽石（商標出願中）の粉体を、練り込むことが可能である材質の中から、最適な材質を選定の上、使用しても、何ら支障は無い。また、使用する粉体の粒度等は、目的に応じて、適時、設定しても何ら支障は無い。
【００２５】
次に、延長管における実施例を、図９を使用して説明する。延長管１３は、図９の如く、樹脂等の基材５０にたいして、所定重量％の貴陽石（商標出願中）の粉体６３が練り込まれた後、成形されて製作されてある。
【００２６】
また、取っ手における実施例を、図１０を使用して説明する。取っ手１４は、図１０の如く、樹脂等の基材６０の表面に、塗装処理あるいはコーティング処理をした皮膜３５が、形成されてある。皮膜３５は、塗装材料あるいはコーティング材料にたいして、所定重量％の貴陽石（商標出願中）の粉体７３を、練り込んだ後、形成されてある。
【００２７】
また、ホースにおける実施例を、図１１を使用して説明する。ホース１５は、図１１の如く、可撓性を有するゴムあるいはプラスチック等の軟質合成樹脂の基材７０にたいして、所定重量％の貴陽石（商標出願中）の粉体８３が練り込まれた後、成形されて製作されてある。
【００２８】
また、本体フレームにおける実施例を、図１２を使用して説明する。本体フレーム１６は、図１２の如く、樹脂等の基材８０の表面に、塗装処理あるいはコーティング処理をした皮膜４５が、形成されてある。皮膜４５は、塗装材料あるいはコーティング材料にたいして、所定重量％の貴陽石（商標出願中）の粉体９３を、練り込んだ後、形成されてある。
【００２９】
また、集塵フィルターにおける実施例を、図１３を使用して説明する。集塵フィルター１８は、図１３の如く、所定重量％の貴陽石（商標出願中）の粉体２４を、樹脂バインダー３８を介して、台板３６の片面に形成された濾紙３７に、固着させて形成されてある。
【００３０】
また、フィルターにおける実施例を、図１４を使用して説明する。フィルター１９は、図１４の如く、所定重量％の貴陽石（商標出願中）の粉体３４を、樹脂バインダー４８を介して、基材９０に、固着させて形成されてある。
【００３１】
また、モーターにおける実施例を、図１５を使用して説明する。モーター２０は、図１５の如く、鋼板等の基材２９の表面に、塗装処理あるいはコーティング処理をした皮膜５５が、形成されてある。皮膜５５は、塗装材料あるいはコーティング材料にたいして、所定重量％の貴陽石（商標出願中）の粉体４４を、練り込んだ後、形成されてある。
【００３２】
また、モーターファンにおける実施例を、図１６を使用して説明する。モーターファン２２は、図１６の如く、所定重量％の貴陽石（商標出願中）の粉体５４を、焼結させて形成されてある。
【００３３】
また、排気フィルターにおける実施例を、図１７を使用して説明する。排気フィルター２１は、図１７の如く、所定重量％の貴陽石（商標出願中）の粉体６４を、樹脂バインダー５８を介して、基材３９に、固着させて形成されてある。
【００３４】
また、ホイールにおける実施例を、図１８を使用して説明する。ホイール１７は、図１８の如く、樹脂等の基材４９にたいして、所定重量％の貴陽石（商標出願中）の粉体７４が練り込まれた後、成形されて製作されてある。
【００３５】
また、ブラシ付きホイールにおける実施例を、図１９を使用して説明する。ブラシ付きホイール２７は、図１９の如く、樹脂等の基材５９にたいして、ブラシ付きホイール２７の回転時に、本体フレーム２６に当接するように、ブラシ４６が形成されてある。本体フレーム２６は、樹脂等の基材６９にたいして、所定重量％の貴陽石（商標出願中）の粉体８４が練り込まれた後、成形されて製作されてある。その為、ブラシ付きホイール２７の回転時には、ブラシ４６が本体フレーム２６の表面を擦ることにより、基材６９にたいして練り込まれた所定重量％の貴陽石（商標出願中）の粉体８４から、マイナスイオンを発生させることができる。
【００３６】
なお、ブラシ付きホイールにおける実施例は、上記の如くであるが、電気掃除機を使用する目的に応じて、例えば、ブラシ４６の毛材にたいして、所定重量％の貴陽石（商標出願中）の粉体を練り込んだ後、ブラシ４６を製作した場合には、上記のマイナスイオンの発生量を、増加させることが可能である。
【００３７】
【発明の効果】
以上の説明から明らかなように、本発明の実施の形態１の電気掃除機は、次に示すような効果を得ることができる。
【００３８】
電気掃除機を構成するいずれかの部品の基材にたいして、所定重量％の貴陽石（商標出願中）の粉体が練り込まれた後、成形されて製作されてある場合には、電気掃除機の使用時には、部品の基材に所定重量％練り込まれた貴陽石（商標出願中）の粉体から、マイナスイオンが発生する。その時、発生したマイナスイオンが、プラスイオンに帯電している塵埃等を吸着させることができる為、塵埃等は、床ノズルに吸い込まれ、清掃することができる。また、排気を通じて、電気掃除機の部品から発生したマイナスイオンが、外気に放出される為、電気掃除機を使用中の室内等に、マイナスイオンを発生させることができる。さらにまた、粉体は、部品の基材に所定重量％練り込まれて形成されてある為、床面等への接触による摩擦により、粉体が脱落する事が無い。
【００３９】
また、電気掃除機を構成するいずれかの部品の基材の表面に、所定重量％の貴陽石（商標出願中）の粉体を混入させた塗装皮膜あるいはコーティング皮膜が形成されてある場合には、貴陽石（商標出願中）の粉体から、マイナスイオンが発生する。その時、発生したマイナスイオンは、プラスイオンに帯電している塵埃等を吸着させることにより、塵埃等を床ノズルに吸い込み、清掃することができる。また、皮膜は、塗装処理あるいはコーティング処理にて形成されてある為、安価かつ容易に、粉体を部品の表面に形成させることができる。
【００４０】
また、電気掃除機を構成するいずれかの部品の基材の表面に、所定重量％の貴陽石（商標出願中）の粉体を、樹脂バインダーにて固着させて形成したり、部品を、所定重量％の貴陽石（商標出願中）の粉体にて、焼結させて形成した場合には、粉体の重量％を多くすることができるので、マイナスイオンを大量に発生させることができる。
【００４１】
また、電気掃除機を構成するブラシ付きホイールを、基材にたいして、本体フレームに当接するようにブラシを形成し、本体フレームの基材に、所定重量％の貴陽石（商標出願中）の粉体を練り込んで製作した場合には、ブラシ付きホイールの回転時に、ブラシが本体フレームの表面を擦ることにより、本体フレームの基材にたいして練り込まれた所定重量％の貴陽石（商標出願中）の粉体から、マイナスイオンを発生させることができる。
【図面の簡単な説明】
【図１】従来の電気掃除機を示す正面図である。
【図２】図１の本体フレームの内部を示す断面図である。
【図３】本発明の実施の形態１の電気掃除機を示す正面図である。
【図４】図３の本体フレームの内部を示す断面図である。
【図５】床ノズルにおける実施例を示す断面図である。
【図６】床ノズルにおける他の実施例を示す断面図である。
【図７】床ノズルにおける他の実施例を示す断面図である。
【図８】床ノズルにおける他の実施例を示す断面図である。
【図９】延長管における実施例を示す断面図である。
【図１０】取っ手における実施例を示す断面図である。
【図１１】ホースにおける実施例を示す断面図である。
【図１２】本体フレームにおける実施例を示す断面図である。
【図１３】集塵フィルターにおける実施例を示す断面図である。
【図１４】フィルターにおける実施例を示す断面図である。
【図１５】モーターにおける実施例を示す断面図である。
【図１６】モーターファンにおける実施例を示す断面図である。
【図１７】排気フィルターにおける実施例を示す断面図である。
【図１８】ホイールにおける実施例を示す断面図である。
【図１９】ブラシ付きホイールにおける実施例を示す断面図である。
【符号の説明】
１、３１　電気掃除機　２、１２、３２、４２、５２　床ノズル
３、１３　延長管　４、１４　取っ手　５、１５　ホース
６、１６、２６　本体フレーム　７、１７　ホイール
８、１８　集塵フィルター　９、１９　フィルター
１０、２０　モーター　１１、２１　排気フィルター
２２　モーターファン
２３、２４、３３、３４、４３、４４、５３、５４、６３、６４、７３、７４、８３、８４、９３　粉体
２５、３５、４５、５５　皮膜　２７　ブラシ付きホイール
２８、３８、４８　バインダー
２９、３０、３９、４０、４９、５０、５９、６０、６９、７０、８０、９０　基材　３６　台板　３７　濾紙　４６　ブラシ
【図１】
2004130020.tif 000003
【図２】
2004130020.tif 000004
【図３】
2004130020.tif 000005
【図４】
2004130020.tif 000006
【図５】
2004130020.tif 000007
【図６】
2004130020.tif 000008
【図７】
2004130020.tif 000009
【図８】
2004130020.tif 000010
【図９】
2004130020.tif 000011
【図１０】
2004130020.tif 000012
【図１１】
2004130020.tif 000013
【図１２】
2004130020.tif 000014
【図１３】
2004130020.tif 000015
【図１４】
2004130020.tif 000016
【図１５】
2004130020.tif 000017
【図１６】
2004130020.tif 000018
【図１７】
2004130020.tif 000019
【図１８】
2004130020.tif 000020
【図１９】
2004130020.tif 000021